(57)【要約】      （修正有）【課題】選別筒体を使用した簡易な手段により、ブルーベリーなどの農産物を損傷させることなく能率的に分別することができる選別装置を提供する。【解決手段】選別筒体４の内方上部で選別筒体４上部回転方向前側ｆ１となる位置に選別筒体４外周面中心線Ｏ１に沿う回転駆動軸５ａを機台１に回転可能に支持させると共に、該回転駆動軸５ａの長手方向へ離間した２位置のそれぞれに該回転駆動軸５ａよりも特定長さだけ大きな径となされた駆動ローラ５ｂ、５ｂを同心に固定し、これらの駆動ローラ５ｂ、５ｂの外周面を選別筒体４の前記外周面中心線Ｏ１方向の両端部内周面に圧接させた構成となす。【選択図】図１
0003126099.tif 000002
【実用新案登録請求の範囲】
【請求項１】
周面壁に多数の選別透孔を有し且つ外周面中心線を水平に保持された状態で機台に支持され且つ外周面中心線回りへ回転駆動される選別筒体を備え、被処理物が選別筒体の外周面上部の選別筒体上部回転方向後側に供給されると、選別筒体に載置された状態で選別筒体上部回転方向前側へ搬送され、該搬送中に一定径以下の被処理物が前記選別透孔を通過するようになされた選別装置であって、前記選別筒体の内方上部で選別筒体上部回転方向前側となる位置に前記外周面中心線に沿う回転駆動軸を前記機台に回転可能に支持させると共に、該回転駆動軸の長手方向へ離間した２位置のそれぞれに該回転駆動軸よりも特定長さだけ大きな径となされた駆動ローラを同心に固定し、これらの駆動ローラの外周面を前記選別筒体の前記外周面中心線方向の両端部内周面に圧接させた構成となされていることを特徴とするブルーベリーなどの選別装置。
【請求項２】
前記選別筒体の下部寄り外周面の外側近傍で選別筒体上部回転方向前側の位置から前記外周面中心線から離れる側へ向けて降下するように延長された排出案内板を設け、このさい、排出案内板は前記選別筒体の前記外周面中心線方向の選別有効長さに略合致した長さの支持平面を有し、該支持平面上のうち前記選別筒体の外周面近傍の略全面にスポンジなどの緩衝面材を被着したことを特徴とする請求項１記載のブルーベリーなどの選別装置。
【請求項３】
前記選別透孔に嵌り込んで支持された状態のブルーベリーが前記排出案内板に到達する直前に該ブルーベリーを前記選別透孔から押し出すように接触する軟質押圧手段を前記選別筒体の内方に設けたことを特徴とする請求項２記載のブルーベリーなどの選別装置。
【請求項４】
前記選別透孔が直径凡そ１２．５ｍｍ〜２５ｍｍ程度の円孔となされていることを特徴とする請求項１、２又は３記載のブルーベリーなどの選別装置。
【請求項５】
前記選別筒体の内方に前記外周面中心線方向へ向けられ傾斜された状態の排出樋を配設し、該排出樋は前記選別筒体上部回転方向に沿う方向で対向した一対の側壁を具備すると共にこれら側壁の上部をホッパー状に傾斜させた態様の一対の傾斜面部を有し、このさい、選別筒体上部回転方向前側の傾斜面部は前記回転駆動軸の真下を経てさらに選別筒体上部回転方向前側へ延長させて前記選別筒体の内周面に近接させており、さらに前記一対の傾斜面部のそれぞれの上面の略全面にスポンジなどの緩衝面材を被着したことを特徴とする請求項１、２、３又は４記載のブルーベリーなどの選別装置。
【請求項６】
前記回転駆動軸の外周面のうち前記２位置の駆動ローラの間となる箇所の略全面に、スポンジなどの緩衝面材を被着したことを特徴とする請求項１、２、３、４又は５記載のブルーベリーなどの選別装置。
【請求項７】
前記選別筒体が、外径を凡そ３００ｍｍ〜４００ｍｍ程度となされ、且つ、前記外周面中心線方向の有効選別長さを凡そ２００ｍｍ〜３００ｍｍ程度となされていることを特徴とする請求項１、２、３、４、５又は６記載のブルーベリーなどの選別装置。
【請求項８】
請求項１〜７の何れか１つの請求項に記載のブルーベリーなどの選別装置を前記選別筒体上部回転方向に沿う方向へ２連の直列状に配列し、このさい、選別筒体上部回転方向後側の選別装置の選別筒体の下部高さと、他方の選別装置の選別筒体の上部高さとを合致させて被処理物を前者選別筒体の選別筒体上部回転方向前側から後者選別筒体の外周面上部の選別筒体上部回転方向後側に移動させる傾斜案内路を形成し、さらには前者選別装置の選別筒体の選別筒体上部回転方向後側に被処理物を供給するための供給樋を設け、該供給樋は長さを３００ｍｍ〜４５０ｍｍ程度に、そして高さを前記機台の最下位置から凡そ５００ｍｍ〜８００ｍｍ程度となされており、また後者選別装置の選別筒体上部回転方向前側には該選別装置の選別透孔内を通過しなかった被処理物を受け入れる受皿を配設し、該受皿は長さを凡そ３００ｍｍ〜６００ｍｍ程度に、そして高さを凡そ１５０ｍｍ〜３００ｍｍ程度になされると共に選別筒体上部回転方向前側への傾斜角度を変更可能となされていることを特徴とするブルーベリーなどの選別装置。
【請求項９】
選別筒体上部回転方向後側の選別装置の選別透孔が直径凡そ１２．５ｍｍ〜１８ｍｍ程度の円孔となされ、一方、選別筒体上部回転方向前側の選別装置の選別透孔が直径凡そ１５ｍｍ〜２５ｍｍ程度の円孔となされており、このさい前者選別透孔は後者選別透孔よりも小さな径となされていることを特徴とする請求項８記載のブルーベリーなどの選別装置。
【考案の詳細な説明】
【技術分野】
【０００１】
本考案は、表皮の軟らかいブルーベリー又はこれに近似した大きさ及び軟らかさの農作物を階級選別するさいに使用される選別装置に関する。
【背景技術】
【０００２】
図６は従来より存在している柑橘類の選別装置の選別筒体周辺を示す図である。
この図を参照して従来の選別装置について説明すると、周面壁に多数の選別透孔ａ１を有し外周面中心線Ｏ１を水平に保持されて機台に支持され外周面中心線Ｏ１回りへ回転駆動される選別筒体４を備え、この選別筒体４の内方上部で選別筒体４上部回転方向前側ｆ１となる位置に、前記外周面中心線Ｏ１に沿う回転駆動ローラ５Ａを前記機台に回転可能に支持させると共に、該回転駆動ローラ５Ａの長手方向へ離間した２箇所のそれぞれの外周面を駆動力伝達部５Ａ１、５Ａ１となし、これらの駆動力伝達部５Ａ１、５Ａ１の外周面を前記選別筒体４の前記外周面中心線Ｏ１方向の両端部内周面に圧接させ、一方、前記回転駆動ローラ５Ａの外周面のうち前記２箇所の駆動力伝達部５Ａ１、５Ａ１の間となる部分を被処理物押出部５Ａ２となした構造となされている。図中、５ｄは支持ローラであり、該支持ローラ５ｄ及び回転駆動ローラ５Ａが選別筒体４を前記外周面中心線Ｏ１回りの回転可能に支持するものとなされている。
【０００３】
この選別装置を使用して柑橘類を選別するさいは、被処理物としての温州ミカンなどを選別筒体４の外周面上部の選別筒体４上部回転方向後側ｆ２に供給するのであり、このように供給された被処理物は回転駆動ローラ５Ａの駆動力伝達部分５Ａ１、５Ａ１により回転駆動される選別筒体４の外周面上部に載置され選別筒体４との相互摩擦で転動されながら選別筒体４上で不規則に運動し、この運動過程で選別透孔ａ１に嵌合され選別筒体４と共に選別筒体４上部回転方向前側ｆ１へ搬送されようとするのであり、このさい、選別透孔ａ１よりも小さい被処理物は選別透孔ａ１を通り抜けて選別筒体４の内方の排出樋９内に落下し、一方、選別透孔ａ１よりも大きい被処理物は選別透孔ａ１に嵌合し支持された状態のまま選別筒体４と同体状に搬送され選別筒体４の選別筒体４上部回転方向前側ｆ１へ移動されるものとなる。
【０００４】
こうして選別筒体４に支持され選別筒体上部回転方向前側へ移動された被処理物はやがて回転駆動ローラ５Ａの位置に到達しこれの上側を通過するのであり、この通過中に、被処理物押出部５Ａ２の外周面が、選別透孔ａ１を通じて選別筒体４の内方に突出した被処理物下部に当接して、該被処理物を選別筒体４の回転に伴って漸次に上方へ押し上げるようになる。このように被処理物押出部５Ａ２により押上げ変位された被処理物は、選別筒体４の外周面上部の選別筒体４上部回転方向前側ｆ１へ向け下がり傾斜面をなす箇所に位置した状態となるため、選別筒体４の上部外周面上を確実に選別筒体４上部回転方向前側ｆ１へ向けて転落する。この結果、選別装置に供給された被処理物は比較的大きいものと、比較的小さいものに分別された状態となる。
上記選別装置の技術水準を示す公知資料として、例えば特許文献１及び２などが存在している。
【０００５】
【特許文献１】特公昭５２−５０１７５号公報
【特許文献２】特開平８−５２４３４号公報
【考案の開示】
【考案が解決しようとする課題】
【０００６】
上記した従来の選別装置をブルーベリーの選別に使用できるようにするため、選別透孔ａ１の大きさを被処理物であるブルーベリーに適合したものとした試験的選別装置を作成し、該選別装置でブルーベリーの選別を行ってみた。図７は上記試験的選別装置の選別筒体の作用を説明した側面図である。
【０００７】
この選別装置による選別においても、選別透孔ａ１を通過しないブルーベリーｗは選別透孔ａ１に嵌合し選別筒体４の内方に下部ｗ１が突出した状態で支持され選別筒体４と共に選別筒体４上部回転方向前側ｆ１へ搬送されるのであり、このように搬送されたブルーベリーｗは被処理物押出部５Ａ２に到達した時点から、上記した従来の選別装置の場合と同様に、選別筒体４の回転に伴って下部ｗ１を漸次に押し上げられるものとなり、このとき、ブルーベリーｗの下部ｗ１は被処理物押出部５Ａ２により選別筒体４上部回転方向後側ｆ２へ向かう押力をも付与される。このようなに処理されるブルーベリーｗはその表皮や果肉が柑橘類などに較べて極めて軟らかいことから、前記押力を付与されたときに裂傷や圧潰などの損傷を受けることが多発するのであり、商品の歩留まりが著しく低下する。
【０００８】
本考案は、被処理物がブルーベリーのようなものであっても、斯かる問題点を生じさせることなく効率的に選別することのできる選別装置を提供することを目的とするものである。
【課題を解決するための手段】
【０００９】
上記目的を達成するため本考案に係るブルーベリーなどの選別装置は、請求項１に記載したように、周面壁に多数の選別透孔を有し且つ外周面中心線を水平に保持された状態で機台に支持され且つ外周面中心線回りへ回転駆動される選別筒体を備え、被処理物が選別筒体の外周面上部の選別筒体上部回転方向後側に供給されると、選別筒体に載置された状態で選別筒体上部回転方向前側へ搬送され、該搬送中に一定径以下の被処理物が前記選別透孔を通過するようになされた選別装置であって、前記選別筒体の内方上部で選別筒体上部回転方向前側となる位置に前記外周面中心線に沿う回転駆動軸を前記機台に回転可能に支持させると共に、該回転駆動軸の長手方向へ離間した２位置のそれぞれに該回転駆動軸よりも特定長さだけ大きな径となされた駆動ローラを同心に固定し、これらの駆動ローラの外周面を前記選別筒体の前記外周面中心線方向の両端部内周面に圧接させた構成となされたことを特徴とするものである。
【００１０】
この考案は次のように具体化するのがよい。
即ち、請求項２に記載したように、前記選別筒体の下部寄り外周面の外側近傍で選別筒体上部回転方向前側の位置から前記外周面中心線から離れる側へ向けて降下するように延長された排出案内板を設け、このさい、排出案内板は前記選別筒体の前記外周面中心線方向の選別有効長さに略合致した長さの支持平面を有し、該支持平面上のうち前記選別筒体の外周面近傍の略全面にスポンジなどの緩衝面材を被着した構成とする。
【００１１】
また請求項３に記載したように、前記選別透孔に嵌り込んで支持された状態のブルーベリーが前記排出案内板に到達する直前に該ブルーベリーを前記選別透孔から押し出すように接触する軟質押圧手段を前記選別筒体の内方に設けた構成とする。
【００１２】
また請求項４に記載したように、前記選別透孔が直径凡そ１２．５ｍｍ〜２５ｍｍ程度の円孔となされている構成とする。
【００１３】
また請求項５に記載したように、前記選別筒体の内方に前記外周面中心線方向へ向けられ傾斜された状態の排出樋を配設し、該排出樋は前記選別筒体上部回転方向に沿う方向で対向した一対の側壁を具備すると共にこれら側壁の上部をホッパー状に傾斜させた態様の一対の傾斜面部を有し、このさい、選別筒体上部回転方向前側の傾斜面部は前記回転駆動軸の真下を経てさらに選別筒体上部回転方向前側へ延長させて前記選別筒体の内周面に近接させており、さらに前記一対の傾斜面部のそれぞれの上面の略全面にスポンジなどの緩衝面材を被着した構成とする。
【００１４】
また請求項６に記載したように、前記回転駆動軸の外周面のうち、前記２位置の駆動ローラの間となる箇所の略全面にスポンジなどの緩衝面材を被着した構成とする。
【００１５】
さらに請求項７に記載したように、前記選別筒体が、外径を凡そ３００ｍｍ〜４００ｍｍ程度となされ、且つ、前記外周面中心線方向の有効選別長さを凡そ２００ｍｍ〜３００ｍｍ程度となされている構成とする。
【００１６】
上記した選別装置を利用することにより、請求項８に記載したような選別装置となすこともできるのであって、即ち、請求項１〜７の何れか１つの請求項に記載のブルーベリーなどの選別装置を前記選別筒体上部回転方向に沿う方向へ２連の直列状に配列し、このさい、選別筒体上部回転方向後側の選別装置の選別筒体の下部高さと、他方の選別装置の選別筒体の上部高さとを合致させて被処理物を前者選別筒体の選別筒体上部回転方向前側から後者選別筒体の外周面上部の選別筒体上部回転方向後側に移動させる傾斜案内路を形成し、さらには前者選別装置の選別筒体の選別筒体上部回転方向後側に被処理物を供給するための供給樋を設け、該供給樋は長さを３００ｍｍ〜４５０ｍｍ程度に、そして高さを前記機台の最下位置から凡そ５００ｍｍ〜８００ｍｍ程度となされており、また後者選別装置の選別筒体上部回転方向前側には該選別装置の選別透孔内を通過しなかった被処理物を受け入れる受皿を配設し、該受皿は長さを凡そ３００ｍｍ〜６００ｍｍ程度に、そして高さを凡そ１５０ｍｍ〜３００ｍｍ程度になされると共に選別筒体上部回転方向前側への傾斜角度を変更可能となされていることを特徴とするものである。
【００１７】
この選別装置は次のように具体化するのがよいのであって、即ち、請求項９に記載したように、選別筒体上部回転方向後側の選別装置の選別透孔が直径凡そ１２．５ｍｍ〜１８ｍｍ程度の円孔となされ、一方、選別筒体上部回転方向前側の選別装置の選別透孔が直径凡そ１５ｍｍ〜２５ｍｍ程度の円孔となされており、このさい前者選別透孔は後者選別透孔よりも小さな径となされている構成とする。
【考案の効果】
【００１８】
上記した本考案によれば、次のような効果が得られる。
即ち、請求項１記載の考案によれば、選別透孔内を通過しないブルーベリーが選別透孔に嵌合し支持され選別筒体の内方に下部が突出した状態で選別筒体と共に選別筒体上部回転方向前側へ搬送されても、該下部が回転駆動軸などの他物と接触することは回避されるものとなり、したがって表皮や果肉の軟らかいブルーベリーなどの農産物であっても、これに裂傷や圧潰などの損傷を付与することなく、しかも選別筒体を用いた比較的簡易な手段により、能率的に階級選別することができるものである。
【００１９】
請求項２記載のものによれば、選別筒体の選別透孔に嵌り込み支持された状態で選別筒体の選別筒体上部回転方向前側に搬送された被処理物が排出案内板に到達するまでに確実に選別筒体外方へ抜け落ちるものとなり、また選別筒体の選別透孔に浅く嵌り込んだ状態の被処理物は排出案内板上の比較的高い位置で選別透孔から抜け落ちて排出案内板上に落下することが生じ得るが、このような場合にも被処理物は緩衝面材で衝撃少なく受け止められるため、ブルーベリーのようなものであっても排出案内板との衝突による損傷を受けることのないものとなる。
【００２０】
請求項３記載のものによれば、想定範囲外の選別環境が生じたことにより、選別筒体の選別透孔に嵌り込み支持された状態で選別筒体の選別筒体上部回転方向前側に搬送される被処理物が排出案内板に到達する前に重力作用で選別筒体外方へ抜け落ちないような場合にも、該被処理物は軟質押圧手段により積極的な押力を付与されるものとなって確実に選別透孔から抜け落ちるものとなり、また軟質押圧手段は被処理物の比較的広い面に接触して押力を付与するものとなるためブルーベリーのような被処理物であっても押力による損傷は回避されるのである。
【００２１】
請求項４記載のものによれば、現在、農家で生産されているブルーベリーのほぼ全てのものの選別に有効に使用できるものとなる。
【００２２】
請求項５記載のものによれば、選別筒体上部の選別透孔内を通過して選別筒体の内方に落下した被処理物が一対の傾斜面部及びこれの上面に被着された緩衝面材の存在により排出樋内まで損傷することなく収容されるものとなるのであり、特に選別筒体上の被処理物が回転駆動軸の真上近傍に到達した後に選別透孔を通過して落下することが生じても、該被処理物は傾斜面部及びこれに被着された緩衝面材により排出樋の一対の側壁間まで損傷することなく導かれるものとなる。
【００２３】
請求項６記載のものによれば、選別筒体上の被処理物が選別透孔内を通過して回転駆動軸に衝突する位置に落下したときにも、該被処理物は回転駆動軸の外周面に被着された緩衝面材に受け止められるため回転駆動軸との衝突に起因した損傷を防止されるものとなる。
【００２４】
請求項７記載のものによれば、一人或いは二人で移動される比較的コンパクトな装置となる上にブルーベリーなどの選別能力を１時間当たり凡そ６０ｋｇ〜１００ｋｇ程度となすことができる。
【００２５】
請求項８記載のものによれば、上記した各効果が得られる上に次のような効果が得られるのであって、即ち、直径１２．５ｍｍ以下から直径２５ｍｍ以上のブルーベリーを大きさの異なる３階級に分別することができるものであり、また各農家から出荷されるブルーベリーの選別に要求される市場条件を満足した選別処理が各農家の夫婦作業などによっても便利に行えるものである。またブルーベリーなどの選別能力を１時間当たり凡そ６０ｋｇ〜１００ｋｇ程度となすさいの選別筒体の回転に必要とされる電力は単相１００Ｖ、２５Ｗ程度で済むものとなる。
【００２６】
請求項９記載のものによれば、被処理物を、直径凡そ１２．５ｍｍ〜１５ｍｍ程度より小さいもの、直径凡そ１２．５ｍｍ〜２５ｍｍ程度のもの、直径凡そ１２．５ｍｍ〜１５ｍｍ程度より大きいものの３階級に分別することができる。
【考案を実施するための最良の形態】
【００２７】
以下、本考案の第一の実施形態を図１〜図５を参照して詳述する。
図１は第一の実施形態に係る選別装置を示す斜視図、図２は該選別装置の選別筒体周辺を示す斜視部、図３は前記選別筒体の作用を説明した側面視断面図である。
【００２８】
図中、１は機台であり、機枠部２とこれを支持した脚部３ａ、３ｂ、３ｃからなっている。機枠部２は左右の起立方形枠体２ａ、２ｂを図示しない左右向き部材で結合したものとなされている。
【００２９】
一対の起立方形枠体２ａ、２ｂの間には、外径凡そ３００ｍｍ〜４００ｍｍ程度の選別筒体４がこれの外周面の中心線（以下「外周面中心線」という）Ｏ１を水平な左右向きとなされて配置されると共に回転支持手段５及び図示しない電動モータを介して外周面中心線Ｏ１回りへ回転駆動可能となされている。選別筒体４は厚さ数ｍｍの周面壁の左右方向の各端部の数ｃｍ巾部分を除いた中央寄り部分（有効選別部）に多数の選別透孔ａ１を形成されている。有効選別部の左右長さが有効選別長さＬ１であり、図示例ではこれが凡そ２００ｍｍ〜３００ｍｍ程度となされ、また各選別透孔ａ１は直径凡そ１２．５ｍｍ〜２５ｍｍ程度の円孔となされている。
【００３０】
回転支持手段５は選別筒体４の内方上部の選別筒体上部回転方向前側（以下、単に「前側」という。）ｆ１に左右向きに配置された回転駆動軸５ａと、この回転駆動軸５ａの長手方向の２位置にこれと同心に固定され選別筒体４の有効選別部の左右外側箇所である左右端部の内周面に当接された２つの駆動ローラ５ｂ、５ｂと、選別筒体４の外周面の前側下部の左右端部に当接され左右向き軸５ｃ回りの回転自在となされた一対の支持ローラ５ｄとからなっている。ここで、重要なことは、駆動ローラ５ｂ、５ｂの直径が回転駆動軸５ａのそれよりも特定長さだけ大きくなしてあることであり、このさい、特定長さは被処理物ｗの大きさ及び選別透孔ａ１の直径の大きさなどに関連して必然的に定まるものである。
【００３１】
上記回転駆動軸５ａは右端部近傍を右側の起立方形枠体２ｂに支持された軸受部材６ａに回転自在に支持され、また左端部を別の軸受部材６ｂで支持されている。そして左右の支持ローラ５ｂ、５ｂは、左右の起立方形枠体２ａ、２ｂに付設された支持片７を介して支持されている。回転駆動軸５ａの右端には入力スプロケット８が固定されており、図示しない電動モータの回転がこの入力スプロケット８に伝達される。
【００３２】
選別筒体４の内方には排出樋９が左右向き且つ左下がり状に配置されると共に右端部を右側の起立方形枠体２ｂに固定されている。排出樋９は左右方向へ長い前後一対の側壁９ａ、９ｂと、これら側壁９ａ、９ｂの下縁間を結合した底壁９ｃとを具備すると共に、一対の側壁９ａ、９ｂの上部をホッパー状に傾斜させた一対の傾斜面部９ｄ、９ｅを有している。このさい、前側の傾斜面部９ｄは回転駆動軸５ａ及び駆動ローラ５ｂ、５ｂの真下を経てさらに前側へ延長されて選別筒体４の内周面に近接されており、また一対の傾斜面部９ｄ、９ｅのそれぞれの上面の略全面、及び、底壁９ｃの上面の全体に厚さ凡そ数ｍｍ〜十数ｍｍ程度となされたスポンジなどの緩衝面材ｂ１、ｂ２、ｂ３が被着されているのであり、また前側の傾斜面部９ｄの左端部に前記軸受部材６ｂが固定されている。
【００３３】
左右の起立方形枠体２ａ、２ｂの選別筒体上部回転方向後側（以下単に「後側」という。）ｆ２の比較的高い位置には、被処理物供給樋１０が僅かな前下がり状に配設されている。この被処理物供給樋１０は平板状の底面部１０ａとこれの左右側及び後側及び前側の一部を包囲した高さ凡そ数ｃｍ程度の縁部１０ｂとからなり、且つ底面部１０ａの前端を機枠部２に折れ曲がり変位可能且つ分離可能に支持されると共に後部下面の左右端部を上下長さ伸縮調整可能な脚部３ｂで支持されている。底面部１０ａの前後傾斜角度は脚部３ｂの上下長さを変更調整することにより任意な大きさに決定される。そして、底面部１０ａの前端と選別筒体４の外周面上部の後側箇所との間にはこれらを接続する前下がり状の供給口案内板１１が機枠部２と同体に固設されている。
【００３４】
左右の起立方形枠体２ａ、２ｂの前側の比較的低い位置には、方形状の受皿１２が配設されている。この受皿１２は後側の端部を機枠部２に折れ曲がり変位可能且つ分離可能に支持されると共に前側の下面の左右端部を上下長さ伸縮調整可能な脚部３ｃで支持されている。受皿１２の前後傾斜角度は脚部３ｃの上下長さを変更調整することにより任意な大きさに決定される。そして、受皿１２の後側箇所と選別筒体４の下部外周面の前側箇所との間にはこれらを接続する前下がり状の排出案内板１３が機枠部２と同体状に固設されている。このさい、排出案内板１３の上面の全面には厚さ凡そ数ｍｍ〜十数ｍｍ程度となされたスポンジなどの緩衝面材ｃ１が被着されている。
【００３５】
図中、ｄ１及びｄ２は左右の起立方形枠体２ａ、２ｂの内側に固着された側板で、機枠部２における被処理物ｗの通路の左右方向限界範囲を画定するものであり、また９ｄは排出樋９の出口を開閉するための設けられた蓋体で、上辺部の前後向き軸回りへ揺動操作されるものとなされている。
【００３６】
上記第一の実施形態に係る選別装置の使用例及び各部の作動について説明する。
図示しない電動モータを始動させて入力スプロケットに回転を入力する。入力スプロケット８の回転は回転駆動軸５ａに伝達され、次に左右の駆動ローラ５ｂ、５ｂに伝達され、駆動ローラ５ｂ、５ｂの回転は選別筒体４の外周面との摩擦により選別筒体４に伝達される。これにより、駆動ローラ５ｂ、５ｂ及び支持ローラ５ｄにより回転自在に支持された選別筒体４は外周面中心線Ｏ１回りへ適当速度で回転する状態となる。
【００３７】
一方、作業者は適宜な容器内に収容されたブルーベリーｗ群を被処理物供給樋１０の底面部１０ａ上に投入する。そして被処理物供給樋１０上のブルーベリーｗ群を手作業により適当分量づつ供給案内板１１上に送り出す。こうして供給案内板１１上に達したブルーベリーｗは重力作用により供給案内板１１上を前側ｆ１へ転げ移動し、順次に選別筒体４の外周面上部の後側ｆ２に達し、選別筒体との摩擦によりこれの外周面上に乗り上がるようになる。
【００３８】
選別筒体４の外周面上部に乗り上がったブルーベリーｗは選別筒体４の外周面上部の後側ｆ２の半分範囲で選別筒体４と共に前側ｆ１へ搬送されたり或いは前記後側ｆ２の半分範囲の後下がり傾斜面上を重力作用により後側ｆ２へ向け転げ落ちることを繰り返すように不規則に運動するのであり、この運動過程において、選別透孔４よりも小さいブルーベリーｗは選別透孔ａ１を通り抜けて選別筒体４の内方へ落下し、一方、選別透孔４よりも大きいブルーベリーｗは選別透孔ａ１に嵌り込んで支持されその移動を規制される。このように移動を規制されたブルーベリーｗはこの後、選別筒体４の回転変位に伴って前側ｆ１へ搬送され、やがて回転駆動軸５ａの真上を通過する。
【００３９】
この通過時において、選別透孔４に嵌り込み支持されたブルーベリーｗは、ブルーベリーｗと選別透孔４との大きさの関係によって、図３に示すようにその下部ｗ１が比較的大きく選別筒体４の内方側に突出した状態となる。一方、回転駆動軸５ａの外周面と選別筒体４の内周面との間の距離Ｌ２は駆動ローラ５ｂ、５ｂの径が回転駆動軸５ａのそれよりも特定長さ以上に大きくなされているため、その特定長さに対応した大きさだけ離間した状態となる。このさいの離間距離は選別透孔ａ１に嵌り込んで支持された種々のサイズのブルーベリーｗの下部ｗ１が選別筒体４の内周面から突出するときの最大突出長さよりも大きくなるように決定されている。したがって、選別透孔ａ１に嵌り込み支持された種々のサイズのブルーベリーｗはその下部ｗ１が回転駆動軸５ａに衝突することを確実に回避され、円滑に選別筒体４の上部前側ｆ１へ搬送される。
【００４０】
この後、選別透孔ａ１に嵌り込み支持された種々のサイズのブルーベリーｗが選別筒体４の回転に伴ってさらに前側ｆ１へ移動されると、この移動に伴って、選別透孔ａ１に対するブルーベリーｗの重力ベクトルの相対関係が変化し、各ブルーベリーｗは次第に選別透孔ａ１から抜け出やすい状態となり、抜け出ることのできる条件が整ったものから順に外方へ抜け出るものとなり、こうして抜け出た各ブルーベリーｗは選別筒体４の外周面に案内され或いは案内されることなく排出案内板１３上の緩衝面材ｃ１上に落下する。このように落下したブルーベリーｗは比較的高い位置から落下されるものもあるが、緩衝面材ｃ１がその落下時の衝撃を緩和するため、その損傷は確実に防止される。なお、選別透孔ａ１に嵌り込み支持されたブルーベリーｗは運転時の振動などもあって排出案内板１３の位置に到達するまでには選別透孔ａ１から抜け出ることが確認されている。
【００４１】
こうして排出案内板１３上にはブルーベリーｗが順次に落下し、この後、重力作用で前側へ転落し、受皿１２上に貯溜される。こうして貯溜された受皿１２上のブルーベリーｗは脚部３ｃの上下長さを変更調整して前下がり姿勢とすることにより、手でブルーベリーｗを掴むことなく受皿１２の前側の縁無し部１２ａから落下させて、適宜な出荷箱内に集めることもできる。
【００４２】
一方、選別透孔ａ１内を通過して選別筒体４の内方へ落下したブルーベリーｗは排出樋９の底壁９ｃ上に落下するのであり、このように落下したブルーベリーｗは緩衝面材ｂ３に衝撃少なく受け止められ、損傷を回避される。排出樋９の蓋体９ｄが閉鎖されているときは、選別透孔ａ１内を通過したブルーベリーｗは排出樋９の内方に蓄積されるのであり、こうして蓄積されたブルーベリーｗは蓋体９ｄを適当時間間隔で開放することにより外方へ取り出される。
【００４３】
上記実施形態において、選別透孔ａ１に嵌り込み支持されたブルーベリーｗが排出案内板１３に到達する直前に該ブルーベリーｗを選別透孔ａ１から押し出すように接触するブラッシ毛群１４ａなどからなる軟質押圧手段１４を選別筒体４の内方の前側ｆ１下部に設けることも差し支えない。このような軟質押圧手段１４はブルーベリーｗの比較的広い範囲に押力を優しく付与することができるため、たとえ、選別環境が想定範囲を超えたことに起因して選別透孔ａ１に嵌り込んだ状態のブルーベリーｗが抜け出ないまま排出案内板１３に到達しようとすることが発生しても、そのブルーベリーｗは排出案内板１３に到達する前に、損傷を受けることなく後側ｆ２から前側ｆ１へ押され、選別透孔ａ１から抜け出るものとなる。
【００４４】
なお、上記した第一の実施形態において、回転駆動軸５ａの外周面で２つの駆動ローラ５ｂ、５ｂ間となる箇所の全面に既述した緩衝面材を被着することも差し支えない。このようにすれば、たとえ被処理物ｗが回転駆動軸５ａ上に落下することがあっても、被処理物ｗの損傷は回避される。
【００４５】
次に本考案に係る第二の実施形態の選別装置について図４及び図５を参照して説明する。図４及び図５は上記第二の実施形態の選別装置を示すもので、前者は平面図で後者は側面図である。
【００４６】
２つの選別要部１００Ａ、１００Ｂが前後直列状の２連に結合されている。各選別要部１００Ａ、１００Ｂのそれぞれは先の第一の実施形態の選別装置と同様に左右一対の起立方形枠体２ａ、２ｂからなる機枠部２、選別筒体４、回転駆動軸５ａ及び駆動ローラ５ｂ、５ｂ及び支持ローラ５ｄからなる回転支持手段５、供給案内板１１、排出案内板１３、排出樋９、緩衝面材ｂ１、ｂ２、ｂ３、ｃ１、及び側板ｄ１、ｄ２などを備えたものとなされている。このさい、後側ｆ２の選別要部１００Ａの選別筒体４の下部と前側ｆ１の選別要部１００Ｂの選別筒体４の上部とが同じ高さとなされる。
【００４７】
後側ｆ２の選別要部１００Ａの後側には選別要部１００Ａの供給案内板１１上へ被処理物ｗを供給するための供給樋１０が設けられ、また前側ｆ１の選別要部１００Ｂの前側ｆ１には選別要部１００Ｂの排出案内板１３から排出された被処理物ｗを受け入れるための受皿１２が配設されている。このさい、供給樋１０は長さを凡そ３００ｍｍ〜４５０ｍｍ程度に、そして高さを前記機台１の最下箇所から凡そ５００ｍｍ〜８００ｍｍ程度になされており、また受皿１２は前後方向の長さを凡そ３００ｍｍ〜６００ｍｍ程度に、そして高さを凡そ１５０ｍｍ〜３００ｍｍ程度になされている
【００４８】
さらに後側ｆ２の選別要部１００Ａの排出案内板１３と、前側ｆ１の選別要部１００Ｂの供給案内板１１とが連続状に結合されて傾斜案内路１５となされており、また後側ｆ２の選別要部１００Ａの選別筒体４の選別透孔ａ１は直径凡そ１２．５ｍｍ〜１８ｍｍ程度の円孔となされ、一方、前側ｆ１の選別要部１００Ｂの選別筒体４の選別透孔ａ１は直径凡そ１５ｍｍ〜２５ｍｍ程度の円孔となされるのであり、このさい前者選別透孔ａ１は後者選別透孔ａ１よりも小さな径となされる。
図中１６は２つの選別要部１００Ａ、１００Ｂの選別筒体４を回転させる図示しない電動モータの操作スイッチ箱である。なお、機枠部２の脚部３ａは床面に安定的に定置されるように上下長さを適合化されている。
【００４９】
この第二の実施形態の選別装置では、供給樋１０内に投入されたブルーベリーは先ず後側ｆ２の選別要部１００Ａ上に移動し、ここで大小の２階級に分別されて、小径のものがその対応する排出樋９に取り出され、大径のものが傾斜案内路１５の一部をなす排出案内板１３から排出されるのであり、次に後側ｆ２の選別要部１００Ａから排出されたブルーベリーは傾斜案内路１５の一部をなす供給案内板１１を経て前側ｆ１の選別要部１００Ｂ上に移動し、ここで再び大小の２階級に分別され、小径のものがその対応する排出樋９に取り出され、大径のものがその対応する排出案内板１３を経て受皿１２上に排出される。この結果、供給樋１０に投入されたブルーベリーは大きさ別の３階級に分別された状態となる。
【００５０】
なお、上記説明において言及しなかった点は先の第一の実施形態の選別装置に準ずるものとし、また図４及び図５において第一の実施形態の選別装置と実質的同一部位には同一符号が付してある。
【００５１】
上記した第二の実施形態では選別要部を２連としたが、さらに多数の選別要部を直列状に配列して被処理物を４階級以上に分別するようになすことも差し支えない。
【図面の簡単な説明】
【００５２】
【図１】本考案に係る選別装置の第一の実施形態を示す斜視図である。
【図２】上記第一の実施形態に係る選別装置における選別筒体周辺を示す斜視部である。
【図３】上記選別筒体の作用を説明した側面視断面図である。
【図４】本考案に係る選別装置の第二の実施形態を示す平面図である。
【図５】上記第二の実施形態に係る選別装置の側面図である。
【図６】従来より存在している柑橘類の選別装置の選別筒体周辺を示す図である。
【図７】試験的選別装置の選別筒体の作用を説明した側面図である。
【符号の説明】
【００５３】
１  機台
４  選別筒体
５ａ  回転駆動軸
５ｂ  駆動ローラ
９  排出樋
９ａ  側壁
９ｂ  側壁
９ｃ  傾斜面部
９ｄ  傾斜面部
１３  排出案内板
１４  軟質押圧手段
１５  傾斜案内路
１００Ａ  選別筒体４上部回転方向後側ｆ２の選別要部（選別装置）
１００Ｂ  選別筒体４上部回転方向前側（他方）ｆ１の選別要部（選別装置）
ａ１  選別透孔
ｂ１  緩衝面材
ｂ２  緩衝面材
ｃ１  緩衝面材
ｆ１  選別筒体４上部回転方向前側
ｆ２  選別筒体４上部回転方向後側
ｗ  被処理物（ブルーベリー）
Ｌ１  有効選別長さ
Ｏ１  外周面中心線
【図１】
0003126099.tif 000003
【図２】
0003126099.tif 000004
【図３】
0003126099.tif 000005
【図４】
0003126099.tif 000006
【図５】
0003126099.tif 000007
【図６】
0003126099.tif 000008
【図７】
0003126099.tif 000009